(57)【要約】【課題】取付強度を高めるとともに吸音（制振）効果も高めた滑り止め板とする。【解決手段】作業車両の通路や床面等の鋼板製歩行面又は作業面に張設されるゴム製滑り止め板１であって、滑り止め用突起１２が形成された表面側シート１０と、永久磁石粉２２が全域に亘って混入された裏面側シート２０とから成る。ゴム製であれば、その弾力性から、歩行時の衝撃を緩和してその歩行音を抑え、磁着面が部分的なものに比べれば、磁着面が裏面全域にあることから、取付強度が高まるとともに、裏面全域に磁石粉が存在してその全面が歩行面に接していることから、鋼板から生じた音が滑り止め板全域に伝わってその磁石粉（金属粉）の振動によって有効に吸音される。両シートは全域に亘って上下に接合され、その裏面側シートの全周縁端面を表面側シートの全周縁が覆っているため、裏面側シート２０の周端縁がめくり上がる恐れも少なくなって、両シート縁が離れることも極力少なくなる。【選択図】図４
2013103667.tif 000002
【特許請求の範囲】
【請求項１】
作業車両の通路や床面等の鉄板製歩行面（３０）又は作業面（Ｓ）に張設される弾性材製滑り止め板（１）であって、その表面全域に滑り止め用突起（１２）が形成され、裏面全域に永久磁石粉（２２）が混入されてその裏全面で前記歩行面（３０）又は作業面（Ｓ）に前記永久磁石粉（２２）でもって吸着取付けすることを特徴とする滑り止め板。
【請求項２】
上記滑り止め用突起（１２）が形成された表面側シート（１０）と、上記永久磁石粉（２２）が混入された裏面側シート（２０）とから成り、その両シート（１０、２０）は全面に亘って上下に接合していると共に、その裏面側シート（２０）の全周縁端面（２３）を表面側シート（１０）の全周縁（１３）が覆っていることを特徴とする請求項１に記載の滑り止め板。
【発明の詳細な説明】
【技術分野】
【０００１】
この発明は、作業車両の通路や床面等の鉄板製歩行面又は作業面、機械工場、各種組立工場の歩行面又は作業面、その機械本体の点検スペース、建設現場の作業機械の足場等に張設される滑り止め板に関するものである。
【背景技術】
【０００２】
作業車両の通路や床面は、運転、修理・点検等において作業者が歩行し、また、その修理・点検時にはその床面等のみならず、車両外装のステップ、点検歩廊等の作業面に作業員が乗ってその修理などを行なうのが常である（以下、これらの作業員が歩行したり作業したりする面を、適宜に総称して「歩行面」と言う）。
この歩行面は、作業者の体重がかかるため、高い強度の鋼板等の鉄板で作られており、滑り易い条件となっている。特に、この種の作業車両は、室外の苛酷の環境下でその作業が行なわれ、その歩行面に油や泥水さらに雪が付着すると、滑り易さは増す。
【０００３】
このため、従来から、その滑り止めとして、表面に小さな凹凸を設けた縞鋼板を使用したり、鋼板表面にサンドペーパ状滑り止め材を貼付したり、表面全域に突起を設けた滑り止め板を貼付したりしている（特許文献１特許請求の範囲、図１〜３等  特許文献２特許請求の範囲、図１〜図６参照）。
【０００４】
また、機械工場、各種組立工場等の生産工場においては、組立機械（作業機械）の間に歩行路が設けられるともに、各組立機械間に足場や点検スペース（図５のＳ参照）が設けられている。その足場や点検スペースは、余り使用されないことから、その多くは滑り止めがなされていないのが実状である。特に、点検スペースＳは縞鋼板を使用せずに凹凸のないフラット面（滑面）となって滑り易い。このため、通常、滑り難い靴底の靴を着用することによってその滑り止め対策をしている。しかし、この足場等も機械からの油や水が飛び散って滑り易くなっており、その靴では十分ではなく、作業者が滑って大事故になる恐れがある。
【先行技術文献】
【特許文献】
【０００５】
【特許文献１】特開２００９−７８７５３号公報
【特許文献２】特開２０００−８３０７号公報
【発明の概要】
【発明が解決しようとする課題】
【０００６】
上記特許文献１の滑り止め用突起を設けた滑り止め板は、滑り止め効果を十分に発揮するが、その滑り止め板の歩行面への貼付（取付）を接着剤等で行っているため（特許文献１段落００１４）、その取付作業が繁雑になっている上に、一度、取付けると剥がし難く、取付け直すことは容易ではない。
また、上記生産工場における点検スペース等はそれ程頻繁に作業者が使用する場所ではないことから、常に、滑り止め板を取付けておくことは無駄であるため、従来、その点検スペース等には滑り止め材は設けられていない。
【０００７】
一方、特許文献２の滑り止め板は、磁石（マグネット）による吸着（磁着）で取付けを行ったりしているため（特許文献２段落００３２、００３５）、取付面の変更も容易であり、特許文献１の滑り止め板に特許文献２の磁石による吸着取付けを採用することが考えられる。この磁着滑り止め板は、取付・取外しが容易であり、上記点検スペース等にその使用時の度に取付けることができる。
【０００８】
しかし、特許文献２の吸着（磁着）手段は、同図５から理解できるように、部分的にしかシート状磁石１’を設けていないため、滑り止め板の取付強度が十分でない。特に、この種の作業車両等の歩行面は、上記のように、油や水が付着しているため、十分な取付強度を得難い。また、周縁が捲れ上がってつまづく等の事故も起きている。
さらに、鋼板製歩行面は、鋼板製であるから、歩行に伴って音が生じやすく、その騒音対策が必要である。このとき、鋼板の固有振動数に伴う共振現象が生じれば、その騒音は激しいものとなる。
この騒音に対し、シート状磁石は、永久磁石粉を混入させたものであるため、その吸音作用（制振作用）を行い得る。しかし、特許文献２の滑り止め板のように、シート状磁石１’が滑り止め板裏面に部分的に設けたものであると、その吸音作用も部分的となる。
【０００９】
この発明は、取付強度を高めるとともに吸音（制振）効果も高めた滑り止め板とすることを課題とする。
【課題を解決するための手段】
【００１０】
上記課題を達成するために、この発明は、まず、弾性材製の滑り止め板とし、つぎに、その裏面全域を永久磁石粉を混入した磁着面としたのである。
弾性材製であれば、その弾力性から、歩行時の衝撃を緩和してその歩行音を抑え、磁着面が裏面全域にあることから、磁着面が部分的なものに比べれば、剥離性などから高い取付強度を得ることができる。
このとき、歩行によってその吸着面が歩行面に押付けられ、吸着面が全面にあるため、全面の摩擦力によって取付強度が増す。
また、裏面全域に磁石粉が存在してその全面が歩行面に接していることから、鉄板から生じた音が滑り止め板全域に伝わってその磁石粉（金属粉）の振動摩擦によって吸音されるとともに、取付面との摩擦によって制振効果が発揮される。このため、磁着面が部分的なものに比べれば、吸音効果は高いものとなる。この吸音効果の高い滑り止め板は、建物の鉄製階段において有効である。
【００１１】
この発明の構成としては、作業車両の通路や床面等の鉄板製歩行面に張設される弾性材製滑り止め板であって、その表面全域に滑り止め用突起が形成され、裏面全域に永久磁石粉（粒も含む）が混入されてその裏全面で前記歩行面に前記永久磁石粉でもって吸着する構成を採用することができる。
弾性材の素材は、上記衝撃緩和と吸音性を有するものであれば任意であり、例えば、天然ゴム、合成ゴムのみならず、弾性樹脂等が考えられる。
【００１２】
この構成において、上記滑り止め用突起が形成された表面側部分と上記永久磁石粉が混入された裏面側部分を一体成形品としたり、その滑り止め用突起が形成された表面側シートと、永久磁石粉が混入された裏面側シートとから成り、その両シートは全面に亘って上下に接合していたりするものとすることができる。その接合は、両シートを別々に製作して両者を接着剤等で接合したり、一方のシートを製作し、鋳型内にそのシートを装填し、その上に加硫前のゴムを流入させて他方のシートを形成するとともに加硫することによって両者を接合したりする。
これらのとき、その裏面側シートの全周縁端面を表面側シートの全周縁が覆っている構造とすれば、裏面の磁着シートの周端縁がめくり上がる恐れも少なくなって、両シート縁が離れることも極力少なくなる。また、表裏面側部分をそれぞれシートで構成した場合、その両シートの界面への油や水の浸入を防いでその界面の接合強度の低下を防止し得る。
【発明の効果】
【００１３】
この発明は、以上のように構成したので、取付強度が高まるとともに吸音効果も高まった滑り止め板となる。
【図面の簡単な説明】
【００１４】
【図１】一実施形態を示し、（ａ）は平面図、（ｂ）は正面図
【図２】同実施形態の表面側シートの一部斜視図
【図３】同一部拡大斜視図
【図４】図１（ｂ）の要部拡大断面図
【図５】同実施形態の一使用態様図
【発明を実施するための形態】
【００１５】
一実施形態を図１〜図４に示し、この実施形態の滑り止め板１は、滑り止め用突起１２が形成された表面側シート１０と、上記永久磁石粉２２が混入された裏面側シート２０とから成る。
その表面側シート１０は、ゴム硬度：８０ＨＳのスチレンブタジエンゴム（ＳＢＲ）からなり、横：４００ｍｍ、縦：１５０ｍｍ、厚さ：１．０ｍｍの基板１１の表面周囲１０ｍｍ枠内に、縦横それぞれ３０ｍｍの間隔で突起１２を千鳥足状に設けたものである。その周囲１１ａは外縁厚が０．２ｍｍとなるテーパ面となっている。突起１２以外の基板１１の表面にはシボ加工を施す。
【００１６】
突起１２は、図２、図３に示すように、その外周の大きさが異なる２段の円形段部（ベース段部１２ａ、中間段部１２ｂ）とその上の四角状段部（先端段部）１２ｃとからなり、その先端段部１２ｃは、その４隅が凸円状にカットされると共にその４隅の間が凹円状にカットされて、８個の角１２ｄを有するものとなっている。この角１２ｄは、安全靴裏面の溝を安定して捉えて、水や油の影響を最小限に抑える。ベース段部１２ａ、中間段部１２ｂは、垂直荷重及び水平荷重を支えると同時に、水平荷重に対して変形することにより、急激な突っかかりを防止する。
【００１７】
そのベース段部１２ａは高さ：２ｍｍ、同径：７ｍｍ、中間段部１２ｂは高さ：１ｍｍ、同径：５ｍｍ、先端段部１２ｃは高さ：１ｍｍ、同４隅の凸円状カット径Ｒ１：３．５ｍｍ、同凹円状カット径Ｒ２：３．０ｍｍとした。
【００１８】
裏面側シート２０は、市販のマグネットシート２１（例えば、ニチレイマグネット（株）製異方性マグネットシート）を使用し、その永久磁石粉２２の分布や量は、実験等によって、その吸着強度や吸音効果が十分に得られるように適宜に設定する。前記異方性マグネットシート２１は、永久磁石粉２２としてのストロンチウムフェライトをゴム基材に混入したものであり、ストロンチウムフェライト：７０〜９５重量％、塩素化ポリエチレン：５〜２０重量％、その他の合成ゴム：５〜１０重量％であって、吸着力：６０ｇｆ／ｃｍ２以上である。マグネットシート２１の厚みは、１〜２ｍｍが好ましく、この実施例では、１．５ｍｍ厚を使用した。
【００１９】
この裏面側シート２０と表面側シート１０の接合は、鋳型内にマグネットシート２１を装填し、その上に、加硫前のスチレンブタジエンゴムを流入させた後、加硫することによって両者１０、２０を接合する。
このとき、図４に示すように、その裏面側シート２０の全周縁端面２３を表面側シート１０の全周縁１３が覆った状態とする。これによって、裏面側シート２０の周端縁がめくり上がる恐れも少なくなって、両シート縁が離れることも極力少なくなる。また、両シート１０、２０の接合面への油や水の浸入も有効に防がれて接合強度の劣化も防止し得る。
【００２０】
この滑り止め板１は、特許文献１図６記載の建設機械（車両、重機）の歩行面や特許文献２図１の歩行通路Ｈ等の鋼板製歩行面Ｋの適宜箇所に取付けたり、図５に示す、作業機械や船舶エンジンの一部Ｍが設置された組立工場における歩行面（足場）３０から、機械Ｍ内に入り込んだ点検スペース（機械定盤、機械平面部）Ｓに取付けたりする。機械Ｍ間の点検スペースＳは油が飛び散って滑りやすいが、通常、鋼板でできているため、この滑り止め板１は磁着でもって強固に取付けし得て、有効に滑り止め効果を発揮する。
【００２１】
この滑り止め板１は、表面側シート１０表面が泥等によって滑り止め効果が低下すれば、その端から容易に剥がして洗浄し、再取付けし得る。また、必要な場所に取付けて、必要がなくなれば、剥がして他の部位に取付けることができる。この取付・取外しが容易であることによって、従来、滑り止めを行うことが好ましいが行っていない場所、例えば、大型重機のメンテナンスの際の作業スペース（足場）や建設現場の足場等に簡単に取付けし得てその滑り止め効果を得ることができる。
また、この滑り止め板１は、吸音（制振）作用を有するため、既設の鉄（鋼板）製階段に取付けることによって、その階段の滑り止め効果に加えて制振効果を得ることができる。
さらに、ゴム板単独でも制振を得られるが、その単独の場合、温度依存性が高い。しかし、この滑り止め板１は、永久磁石粉２２の振動摩擦に加えて磁石粉２２を有しない表面側シート１０と同有する裏面側シート２０間（界面間）のフリクションによっても制振機能が発揮されるため、制振性が高いうえに温度依存性が少なく、制振機能が低下する恐れも少ない。
【００２２】
上記突起１２は実施形態の形状に限らず、滑り止め効果を発揮する形状であれば、例えば、特許文献１図８に示す形状等としたり、溝によって突起を形成したりと任意である。また、表面側シート１０と裏面側シート２０の接合は、加硫接着（接合）に限らず、接着剤、両面粘着テープ等と周知の手段を採用することができる。このとき、両シート１０、２０の少なくともどちらか一方の接合面にシボ加工を施して接合強度を高めるようにしても良い。因みに、表面側シート１０と裏面側シート（マグネットシート）２１を別々に製作して両面テープで接合したところ、通常の歩行に比べて激しい歩行運動を繰り返しても両者１０、２１の接合面の剥がれは生じず、また、従来、歩行音：５００〜２０００Ｈｚの既設の鉄製階段において、１０〜２０ｄＢの低減が確認できた。
さらに、表面側シート１０と裏面側シート２０は、一体成型品とすることができる。このとき、滑り止め板１の全体に永久磁石粉２２を埋設しても良いが、十分な吸着力が得られる限りにおいて、吸着面となる裏面部のみとすることができる。
【符号の説明】
【００２３】
１  滑り止め板
１０  滑り止め板の表面側シート
１２  滑り止め用突起
１３  表面側シートの端縁
２０  裏面側シート
２１  マグネットシート
２２  永久磁石粉
２３  裏面側シートの端縁
３０  歩行面
Ｓ  作業面（スペース）
【図１】
2013103667.tif 000003
【図２】
2013103667.tif 000004
【図３】
2013103667.tif 000005
【図４】
2013103667.tif 000006
【図５】
2013103667.tif 000007